(57)【要約】【課題】本発明は、電子機器および照明制御システムに関し、組み立て易い電子機器および照明制御システムを得ることを目的とする。【解決手段】本発明に係る電子機器は、ケースと、該ケースに収納された基板と、該ケースの上面に設けられた主部と、該主部から延びる第１部分と、該主部から伸びる第２部分と、を有する端子金具と、を備え、該第１部分と該第２部分は、該ケースに挿入され該ケースの内側に突出し、該端子金具は該基板と電気的に接続される。【選択図】図１１
2019169538.tif 000002
【特許請求の範囲】
【請求項１】
ケースと、
前記ケースに収納された基板と、
前記ケースの上面に設けられた主部と、前記主部から延びる第１部分と、前記主部から伸びる第２部分と、を有する端子金具と、
を備え、
前記第１部分と前記第２部分は、前記ケースに挿入され前記ケースの内側に突出し、
前記端子金具は前記基板と電気的に接続されることを特徴とする電子機器。
【請求項２】
前記第２部分は前記第１部分より短いことを特徴とする請求項１に記載の電子機器。
【請求項３】
前記第２部分は、前記基板に挿入され、前記基板のうち前記ケースの上面と反対側の面から突出することを特徴とする請求項１または２に記載の電子機器。
【請求項４】
前記第２部分は、前記基板にはんだ付けされることを特徴とする請求項３に記載の電子機器。
【請求項５】
前記第１部分は、前記第２部分よりも前記ケースの外側に設けられることを特徴とする請求項３または４に記載の電子機器。
【請求項６】
前記第１部分と前記基板とを接続する配線を備えることを特徴とする請求項２に記載の電子機器。
【請求項７】
前記配線は、前記第１部分のうち前記第２部分の下端よりも下方の部分に接続されることを特徴とする請求項６に記載の電子機器。
【請求項８】
前記端子金具は、第１端子金具と、第２端子金具と、を含み、
前記基板は、制御基板と、前記制御基板の下方に設けられた主基板と、を備え、
前記第１端子金具の前記第２部分は、前記制御基板に挿入され、
前記第２端子金具の前記第１部分は、配線により前記主基板と接続されることを特徴とする請求項２に記載の電子機器。
【請求項９】
前記ケースは、内側に突起部を有し、
前記基板は前記突起部と嵌合する切欠きを有することを特徴とする請求項１から８の何れか１項に記載の電子機器。
【請求項１０】
前記ケースは、
前記端子金具が挿入され、前記ケースの上面に対向する側に開口が設けられた上ケースと、
前記上ケースと嵌合し、前記開口を塞ぐ下ケースと、
を有することを特徴とする請求項１から９の何れか１項に記載の電子機器。
【請求項１１】
前記ケースは、
前記端子金具が挿入され、前記ケースの上面に対向する側に開口が設けられた上ケースと、
前記上ケースの前記開口を塞ぐ下ケースと、
を有し、
前記上ケースは、内側に第１突起部を有し、
前記下ケースは、内側に第２突起部を有し、
前記基板には前記第１突起部と嵌合する第１切欠きと、前記第２突起部と嵌合する第２切欠きと、が設けられることを特徴とする請求項１から９の何れか１項に記載の電子機器。
【請求項１２】
前記ケースは、前記基板を保持する爪部を備え、
前記基板は、前記ケースと１つのねじで固定されることを特徴とする請求項１から１１の何れか１項に記載の電子機器。
【請求項１３】
コントローラと、
請求項１から１２の何れか１項に記載の電子機器と、
前記電子機器に接続された複数の照明器具と、
を備え、
前記電子機器は、前記コントローラが送信する伝送信号に応じて、前記複数の照明器具への電力の供給をオンオフすることを特徴とする照明制御システム。
【発明の詳細な説明】
【技術分野】
【０００１】
本発明は、電子機器および照明制御システムに関する。
【背景技術】
【０００２】
特許文献１には、端末器本体内に、リレーを実装したプリント基板と、伝送信号処理回路を設けたプリント基板とが配設された遠隔監視制御システム用端末器が開示されている。端末器本体の一端には負荷または電源と接続される主端子が固定され、他端には信号線と接続される信号端子が組み込まれている。信号端子に形成された接続片は、プリント基板の孔に挿入接続され、はんだ付け固定される。
【先行技術文献】
【特許文献】
【０００３】
【特許文献１】特開平５−１０８２０５号公報
【発明の概要】
【発明が解決しようとする課題】
【０００４】
特許文献１では、主端子および信号端子は、Ｌ字状またはフック状に折り曲げられ、端末器本体の上面と垂直に、上方から端末器本体に差し込まれる。このとき、端子に配線が接続されると、端子が配線により引っ張られ、端末器本体から浮く可能性がある。このとき、プリント基板と端子を接合するはんだに応力がかかる可能性がある。
【０００５】
また、特許文献１では、端末器本体の側面がプリント基板を覆う。このため、端子を基板にはんだ付けする際に、端末器本体の側面がはんだ付け作業を妨げるおそれがあった。
【０００６】
また、端末器本体とプリント基板とを複数のねじで固定する場合には、ねじ同士の絶縁距離の確保のためにプリント基板が大型化する可能性がある。ここで、端末器本体の大きさは、協約寸法で定められている場合がある。この場合、プリント基板を大きくすることが難しい可能性がある。また、プリント基板にアドレス設定部が設けられている場合、プリント基板が作業者に強く押されることが考えられる。このとき、端末器本体とプリント基板とを固定するねじとして、樹脂ねじを用いることは、強度および経年劣化を考慮して適切でない場合がある。また、プリント基板を多層基板にすることで、回路面積を確保しつつ基板面積を小型化できるが、多層基板は一般に高価である。
【０００７】
本発明は、上述の課題を解決するためになされたもので、組み立て易い電子機器および照明制御システムを得ることを目的とする。
【課題を解決するための手段】
【０００８】
本発明に係る電子機器は、ケースと、該ケースに収納された基板と、該ケースの上面に設けられた主部と、該主部から延びる第１部分と、該主部から伸びる第２部分と、を有する端子金具と、を備え、該第１部分と該第２部分は、該ケースに挿入され該ケースの内側に突出し、該端子金具は該基板と電気的に接続される。
【発明の効果】
【０００９】
本発明に係る電子機器では、端子金具の第１部分と第２部分が、ケースに挿入されケースの内側に突出する。このため、端子金具に配線が接続された場合などにも、端子金具の傾きまたは浮きを抑制できる。従って、電子機器を組み立て易い。
【図面の簡単な説明】
【００１０】
【図１】実施の形態１に係る照明制御システムのブロック図である。
【図２】実施の形態１に係る電子機器の上方斜視図である。
【図３】実施の形態１に係る電子機器の分解斜視図である。
【図４】実施の形態１に係る電子機器の平面図である。
【図５】実施の形態１に係る上ケースの平面図である。
【図６】実施の形態１に係る上ケースの下方斜視図である。
【図７】実施の形態１に係る制御基板の上方斜視図である。
【図８】実施の形態１に係る上ケースに端子金具および制御基板を取り付けた状態を示す下面図である。
【図９】図８をＡ−Ａ直線で切断することで得られる断面図である。
【図１０】実施の形態１に係る上ケースに端子金具および制御基板を取り付けた状態を示す下方斜視図である。
【図１１】電子機器を図４に示すＢ−Ｂ直線で切断することで得られる断面図である。
【図１２】実施の形態２に係る電子機器の上方斜視図である。
【図１３】実施の形態２に係る電子機器の分解斜視図である。
【図１４】実施の形態２に係る電子機器の平面図である。
【図１５】図１４をＣ−Ｃ直線で切断することで得られる断面図である。
【発明を実施するための形態】
【００１１】
本発明の実施の形態に係る電子機器および照明制御システムについて図面を参照して説明する。同じ又は対応する構成要素には同じ符号を付し、説明の繰り返しを省略する場合がある。
【００１２】
実施の形態１．
図１は、実施の形態１に係る照明制御システム８０のブロック図である。照明制御システム８０は、管理装置８１、コントローラ８２、複数のリレー制御端末器８３、複数のリモコンリレー８４、リモコントランス８５および複数の照明器具８９を備える。管理装置８１は例えば、パーソナルコンピュータ等の端末装置である。管理装置８１は、照明制御システム８０の状態監視または設定を行う。
【００１３】
管理装置８１とコントローラ８２は、有線または無線の通信網８７であるＬＡＮ（Ｌｏｃａｌ  Ａｒｅａ  Ｎｅｔｗｏｒｋ）で接続されている。複数のリレー制御端末器８３はコントローラ８２と通信線８８で渡り配線により接続される。渡り配線には、図示しない照度センサ、人感センサ等の各種センサが接続されても良く、壁スイッチ等の操作盤が接続されても良い。
【００１４】
コントローラ８２は、伝送信号を送信しリレー制御端末器８３等を制御する制御装置である。コントローラ８２は、通信線８８を介してリレー制御端末器８３、壁スイッチおよびセンサと通信を行う。コントローラ８２が発信および受信する伝送信号は、アドレスデータおよび制御データを含む。
【００１５】
各々のリレー制御端末器８３には、複数のリモコンリレー８４が接続される。リレー制御端末器８３の制御出力と複数のリモコンリレー８４の入力側の一端は、制御信号線で接続されている。リレー制御端末器８３は制御システム端末器である。リレー制御端末器８３は、アドレス設定部を備える。アドレス設定部を操作することにより各々のリレー制御端末器８３に固有のアドレスが割り当てられる。
【００１６】
リレー制御端末器８３は、通信線８８を介してコントローラ８２が発信する伝送信号を受信する受信部を有する。また、リレー制御端末器８３は、伝送信号に含まれるアドレスデータを、リレー制御端末器８３に割り当てられた固有アドレスと比較する比較部を有する。比較部が、伝送信号のアドレスデータと、リレー制御端末器８３に割り当てられた固有アドレスとが一致したと判断した場合、リレー制御端末器８３は伝送信号の制御データを実行するためにリモコンリレー８４に制御信号を送信する。
【００１７】
このように、リレー制御端末器８３は伝送信号に応じて複数のリモコンリレー８４を制御する。図１では、１台のリレー制御端末器８３に対し、４台のリモコンリレー８４が接続されているが、１台のリレー制御端末器８３に接続されるリモコンリレーの数はこれ以外でも良い。
【００１８】
各々のリモコンリレー８４には、照明器具８９等の負荷が接続される。リモコンリレー８４は、リレー制御端末器８３からの信号を受け、リモコンリレー８４に接続される負荷に供給される電力を断続させる。リモコントランス８５の入力側は、外部電源に接続される。リモコントランス８５は、リモコンリレー８４の入力側に、リレーをオンオフするための電力を供給する。リレーをオンオフするための電力は、例えばＡＣ２４Ｖである。
【００１９】
本実施の形態に係る電子機器１は、リレー制御端末器８３と複数のリモコンリレー８４の機能を有する。電子機器１は、コントローラ８２が送信する伝送信号に応じて、複数の照明器具８９への電力の供給をオンオフする。
【００２０】
図２は、実施の形態１に係る電子機器１の上方斜視図である。電子機器１は主に分電盤内に設置される。このため、電子機器１の外形寸法は協約寸法に適合している。協約寸法とは、ＪＩＳ規格のＣ  ８２０１−２−１：２０１１「低圧開閉装置および制御装置―第２−１部：回路遮断器（配線用遮断器およびその他の遮断器）」の附属書ＪＣ「電灯分電版盤用協約形回路遮断器」の図ＪＣ．１に規定される、外形寸法の推奨値である。
【００２１】
図３は、実施の形態１に係る電子機器１の分解斜視図である。電子機器１は、上ケース１０と下ケース２０を備える。上ケース１０と下ケース２０は、基板を収納するケースである。本実施の形態では、基板は制御基板３０と、制御基板３０の下方に設けられた主基板５７とを含む。
【００２２】
上ケース１０と下ケース２０は例えば樹脂で成形される。本実施の形態では、電子機器１の上ケース１０が配置された方向を上、下ケース２０が配置された方向を下とする。上ケース１０は、上面と側面を備える。上ケース１０には、上面に対向する側に開口が設けられる。図２に示されるように、下ケース２０は、上ケース１０の開口を塞ぐ。また、上ケース１０と下ケース２０は、嵌合ねじ６１により締結される。
【００２３】
上ケース１０は、通信線８８および負荷を接続するための端子金具５４ａ、５４ｂを保持する。上ケース１０の一対の側面には、それぞれ切欠きが形成される。切欠きにより、上ケース１０から端子金具５４ａ、５４ｂが露出する。上ケース１０には上面側から端子金具５４ａ、５４ｂが挿入される。
【００２４】
端子金具５４ａ、５４ｂは、板金をＣ字状またはＵ字状に折り曲げて形成される。端子金具５４ａ、５４ｂには、ねじ穴が形成されている。端子金具５４ａには、外部信号側端子ねじ５３ａが締結される。端子金具５４ｂには、制御側端子ねじ５３ｂが締結される。本実施の形態では、電子機器１は、端子金具５４ａと外部信号側端子ねじ５３ａを２個ずつ備える。また、電子機器１は、端子金具５４ｂと制御側端子ねじ５３ｂを８個ずつ備える。
【００２５】
端子金具５４ａは、上ケース１０の上面に設けられた主部５４ａ−３と、主部５４ａ−３から延びる第１部分５４ａ−１と、主部５４ａ−３から伸びる第２部分５４ａ−２とを有する。第１部分５４ａ−１と第２部分５４ａ−２は、上ケース１０に挿入される。端子金具５４ｂは、上ケース１０の上面に設けられた主部５４ｂ−３と、主部５４ｂ−３から延びる第１部分５４ｂ−１と、主部５４ｂ−３から伸びる第２部分５４ｂ−２とを有する。第１部分５４ｂ−１と第２部分５４ｂ−２は、上ケース１０に挿入される。
【００２６】
図４は、実施の形態１に係る電子機器１の平面図である。端子金具５４ａは、上ケース１０の長手方向の一方の端部に並べて配置される。また、端子金具５４ｂは、上ケース１０の長手方向の他方の端部に並べて配置される。
【００２７】
図２から図４に示されるように、端子金具５４ａおよび外部信号側端子ねじ５３ａは、隣接する端子金具５４ａおよび外部信号側端子ねじ５３ａと上ケース１０に形成されたリブにより離隔される。同様に、端子金具５４ｂおよび制御側端子ねじ５３ｂは、隣接する端子金具５４ｂおよび制御側端子ねじ５３ｂと上ケース１０に形成されたリブにより離隔される。端子金具５４ａ、５４ｂ間にリブを設けることで、絶縁距離および沿面距離を確保できる。従って、ショートの発生を抑制できる。
【００２８】
外部信号側端子ねじ５３ａおよび端子金具５４ａは、リレー制御端末器８３の通信線８８と接続される端子に相当する。図１に示されるように、外部信号側端子ねじ５３ａおよび端子金具５４ａには、伝送信号を伝送する通信線８８が渡り配線で接続される。本実施の形態の通信線８８は、２本１組で構成される。図１のＡ〜Ｃに示されるリレー制御端末器８３のように、電子機器１を渡り配線の途中に接続する場合は、外部信号側端子ねじ５３ａおよび端子金具５４ａを４組用いる。一方、図１のＤに示されるリレー制御端末器８３のように、電子機器１を渡り配線の終端に接続する場合は、外部信号側端子ねじ５３ａおよび端子金具５４ａを２組用いる。
【００２９】
制御側端子ねじ５３ｂおよび端子金具５４ｂは、図１に示されるリモコンリレー８４の出力端子に相当する。制御側端子ねじ５３ｂおよび端子金具５４ｂには、外部電源と照明器具８９等の負荷が直列に接続される。制御側端子ねじ５３ｂは、高電圧であり、例えば１００〜２４２Ｖの電圧が印加される。図２に示されるように、安全性を確保するため、電子機器１の制御側端子ねじ５３ｂの上面は、保護カバー５２で覆われる。保護カバー５２は、上ケース１０に保護カバーねじ５１で固定される。なお、図４では、保護カバー５２は省略されている。
【００３０】
図５は、実施の形態１に係る上ケース１０の平面図である。図５を用いて、上ケース１０の上面側の構造を説明する。上ケース１０の長手方向の両端には、端子金具５４ａ、５４ｂを挿入するための端子穴１５が形成される。上ケース１０の一端には端子金具５４ａを４個挿入できるように、４つの端子穴１５が設けられる。上ケース１０の他端には端子金具５４ｂを８個挿入できるように、８つの端子穴１５が設けられる。なお、図４に示されるように、端子金具５４ａが挿入されない端子穴１５には、端子カバー６５が挿入される。端子カバー６５は、例えば樹脂で形成される。
【００３１】
上ケース１０は、上面の長手方向の中央に上面部１１を備える。上面部１１には、図示しない名板が貼付される。上ケース１０において、上面部１１と外部信号側端子ねじ５３ａに挟まれる箇所に凹部が形成される。凹部には操作面１２が設けられる。図２に示されるように、操作面１２は上面部１１よりも下方に位置する。
【００３２】
操作面１２には、上ケース１０を上面から裏面に向かって貫通する開口窓１３が設けられる。開口窓１３は略長方形である。開口窓１３の長辺は、上ケース１０の長手方向と直交する。開口窓１３からは、後述するアドレス設定部３１のスイッチ操作部が突出する。このため、開口窓１３を介してアドレス設定部３１を設定できる。また、操作面１２が上面部１１よりも下方に位置するため、電子機器１に意図せず手などが触れた場合に、アドレス設定部３１のスイッチ操作部の設定が変更されることを抑制できる。
【００３３】
操作面１２には、一対の押切窓１４が形成される。一対の押切窓１４は、開口窓１３の長手方向の両側に設けられ、開口窓１３と一直線に並ぶ。一対の押切窓１４は貫通孔である。
【００３４】
なお、図４に示されるように、上ケース１０には、上方から操作ラベル５５が貼付される。操作ラベル５５により、開口窓１３および一対の押切窓１４は、アドレス設定部３１から突出したスイッチ操作部の可動範囲を除き覆われる。このため、アドレス設定部３１による電子機器１の意匠性への影響を抑制できる。また、アドレス設定部３１のスイッチ操作部は、開口窓１３および操作ラベル５５から突出するため、操作ラベル５５が貼付された状態でもアドレス設定を行うことができる。
【００３５】
図６は、実施の形態１に係る上ケース１０の下方斜視図である。図６を用いて、上ケース１０の裏面側の構造を説明する。上ケース１０の上面と反対側の面である裏面側には、一対の爪部１６が設けられる。一対の爪部１６は、一対の押切窓１４に隣接する位置から、上ケース１０の側面に沿って下方に突出する。
【００３６】
爪部１６の下端には、上ケース１０の側面から離れる方向に突出した突起１６ａが設けられる。突起１６ａの上ケース１０の側面からの高さは、押切窓１４から離れるほど、つまり下方に向かって小さくなる。
【００３７】
また、上ケース１０は、内側に突起部１９ａ、１９ｂを有する。突起部１９ａは上ケース１０の長手方向に延びる２つの側面に２つずつ設けられる。突起部１９ａはリブとも呼ばれ、上ケース１０から下方に伸びる。突起部１９ｂは、上ケース１０の長手方向に延びる２つの側面に１つずつ設けられる。突起部１９ｂは、嵌合ねじ６１が挿入されるねじ穴である。
【００３８】
図７は、実施の形態１に係る制御基板３０の上方斜視図である。図７を用いて、制御基板３０の構造を説明する。制御基板３０は、アドレス設定部３１を備える。アドレス設定部３１はディップスイッチである。制御基板３０の一端には基板固定用の固定孔３２が設けられる。制御基板３０の他端には、端子金具５４ａをはんだ付けするためのスリット３３が形成されている。
【００３９】
制御基板３０は切欠き３０ａ、３０ｂを有する。切欠き３０ａ、３０ｂは、突起部１９ａ、１９ｂの形状に合わせて形成される。切欠き３０ａは突起部１９ａと嵌合する。切欠き３０ｂは突起部１９ｂと嵌合する。
【００４０】
図８は、実施の形態１に係る上ケース１０に端子金具５４ａ、５４ｂおよび制御基板３０を取り付けた状態を示す下面図である。図９は、図８をＡ−Ａ直線で切断することで得られる断面図である。図１０は、実施の形態１に係る上ケース１０に端子金具５４ａ、５４ｂおよび制御基板３０を取り付けた状態を示す下方斜視図である。
【００４１】
図８から図１０に示されるように、上ケース１０の上面側から挿入された端子金具５４ａ、５４ｂの第１部分５４ａ−１、５４ｂ−１および第２部分５４ａ−２、５４ｂ−２は、上ケース１０に形成された端子穴１５を通り、上ケース１０の内側に突出する。これにより、端子金具５４ａ、５４ｂは上ケース１０に保持される。
【００４２】
また、端子金具５４ａの第２部分５４ａ−２は、制御基板３０のスリット３３に挿入され、制御基板３０の裏面から突出する。制御基板３０の裏面は、制御基板３０のうち、上ケース１０の上面と反対側の面である。第２部分５４ａ−２は、制御基板３０にはんだ付けされる。第２部分５４ａ−２は、制御基板３０の裏面側ではんだ付けされる。これにより、第２部分５４ａ−２は、制御基板３０と電気的に接続される。また、端子金具５４ａは、制御基板３０に機械的に固定される。
【００４３】
また、一対の爪部１６は制御基板３０を保持する。制御基板３０は、上ケース１０の下方から上ケース１０の内部に挿入され、一対の爪部１６に挟持される。これにより、制御基板３０は上ケース１０に仮固定される。また、制御基板３０は、基板ねじ５６によって上ケース１０に締結され、上ケース１０に固定される。
【００４４】
このように、制御基板３０は、一対の爪部１６で挟持されるとともに、１つの基板ねじ５６で上ケース１０と固定される。従って、ねじと制御基板３０の充電部との絶縁距離の確保のために基板のサイズを大きくする必要が無く、制御基板３０を小型化できる。また、制御基板３０のサイズの抑制のために樹脂ねじを使用する必要が無く、電子機器１の強度を向上できる。また、樹脂ねじの使用に伴う電子機器１の経年劣化を防止できる。さらに、多層基板を用いずに制御基板３０の大型化を抑制できるため、電子機器１を安価で製造および量産できる。また、複数のねじを使用する場合と比較して、ねじ５６の固定作業を簡易化できる。
【００４５】
また、爪部１６だけで上ケース１０と制御基板３０とを固定する場合、上ケース１０と制御基板３０との間にクリアランスが生じる可能性がある。このとき、アドレス設定部３１の操作時に制御基板３０がたわみ、アドレス設定部３１の操作性が悪化する可能性がある。本実施の形態では、爪部１６と必要最低限の１本のねじで制御基板３０を上下方向に固定できるため、操作性の悪化を防止しつつ、大型化の抑制、信頼性の向上、低コスト化および組み立ての簡易化が可能になる。
【００４６】
また、一対の爪部１６は、一対の押切窓１４から下方に突出するため、平面視において開口窓１３の長手方向に沿った中心線上に配置される。このとき、一対の爪部１６は、平面視においてアドレス設定部３１のスイッチ操作部と一直線に並ぶ。このため、開口窓１３から突出するアドレス設定部３１のスイッチ操作部が押された場合、一対の爪部１６と基板ねじ５６に応力が伝わり易い。一方で、スリット３３において端子金具５４ａと制御基板３０とを接合するはんだに伝わる応力を抑制できる。このため、はんだ接合の信頼性を高めることができる。
【００４７】
図１１は、電子機器１を図４に示すＢ−Ｂ直線で切断することで得られる断面図である。端子金具５４ａの第２部分５４ａ−２は第１部分５４ａ−１より短い。同様に、端子金具５４ｂの第２部分５４ｂ−２は第１部分５４ｂ−１より短い。つまり、端子金具５４ａ、５４ｂでは、２つの端部の長さが不均一に形成されている。
【００４８】
端子金具５４ａ、５４ｂには、外部信号側端子ねじ５３ａおよび制御側端子ねじ５３ｂが締結される。さらに、端子金具５４ａ、５４ｂまたは外部信号側端子ねじ５３ａ、制御側端子ねじ５３ｂには、図示しない配線が接続される。本実施の形態では、端子金具５４ａ、５４ｂは、両端部が上ケース１０に挿入され、上ケース１０の内側に突出する。このため、端子金具５４ａ、５４ｂが配線により引っ張られても、端子金具５４ａ、５４ｂが上ケース１０から浮くことを抑制できる。従って、端子金具５４ａ、５４ｂの傾きを抑制でき、電子機器１を組み立て易くできる。
【００４９】
また、端子金具５４ａの第２部分５４ａ−２は、制御基板３０に形成されたスリットに挿入され、はんだで固定される。本実施の形態では、端子金具５４ａに外力が加わっても、端子金具５４ａの浮きまたは傾きを抑制できるため、第２部分５４ａ−２と制御基板３０とを接合するはんだフィレットに応力が加わることを抑制できる。従って、はんだ接合の信頼性を向上できる。
【００５０】
また、端子金具５４ａの第１部分５４ａ−１は、第２部分５４ａ−２よりも上ケース１０の外側に設けられる。第１部分５４ａ−１は、制御基板３０と上ケース１０との間に延びる。短い第２部分５４ａ−２が内側に、長い第１部分５４ａ−１が外側に配置されることで、制御基板３０の下のスペースを広く確保できる。
【００５１】
また、電子機器１は、端子金具５４ｂの第１部分５４ｂ−１と主基板５７とを接続する配線５８を備える。これにより、端子金具５４ｂは主基板５７と電気的に接続される。配線５８は例えばハーネスである。端子金具５４ｂの第１部分５４ｂ−１は、配線５８とはんだ付けされる。また、配線５８は主基板５７とはんだ付けされる。
【００５２】
図１１に示されるように、主基板５７のうち端子金具５４ａ側に接続される配線５８は、端子金具５４ｂ側に接続される配線５８よりも長い。このような配線５８の配置により、端子金具５４ｂと配線５８を接続した状態で、電子機器１から下ケース２０を外すことで、図１１の矢印９０に示される方向に主基板５７を移動させることができる。これにより、上ケース１０の外で、配線５８と主基板５７とを接続できる。また、上ケース１０に主基板５７が収納されていない状態で、端子金具５４ｂと配線５８を接続できる。従って、電子機器１の組み立て時の作業性が向上する。
【００５３】
また、端子金具５４ｂの長いほうの端部である第１部分５４ｂ−１は、配線５８により主基板５７と接続される。配線５８は、端子金具５４ｂの第１部分５４ｂ−１のうち第２部分５４ｂ−２の下端よりも下方の部分に接続される。これにより、矢印９０に示される方向に主基板５７を移動させる際に、配線５８と第２部分５４ｂ−２とが接触することを防止できる。また、下方に長く延びる第１部分５４ｂ−１に配線５８を接続することで、配線５８の長さを抑制できる。
【００５４】
また、端子金具５４ａ、５４ｂは、上ケース１０のうち外部信号側端子ねじ５３ａが設けられる側に第１部分５４ａ−１、５４ｂ−１が配置され、制御側端子ねじ５３ｂが設けられる側に第２部分５４ａ−２、５４ｂ−２が配置される。つまり、同一形状の端子金具５４ａ、５４ｂは、上ケース１０の上面に同じ向きで配置される。従って、電子機器１の組み立て時の作業性を向上できる。
【００５５】
次に、電子機器１内に収納される制御基板３０および主基板５７の機能を説明する。制御基板３０は、照明制御システム８０のリレー制御端末器８３の機能を有する。また、主基板５７は、照明制御システム８０の複数のリモコンリレー８４の機能を有する。
【００５６】
制御基板３０は、端子金具５４ａを介して伝送信号が入力される低電圧基板である。制御基板３０に設けられたアドレス設定部３１を設定することにより、電子機器１に固有のアドレスを設定できる。電子機器１は、付与された固有のアドレスによって識別される。制御基板３０は、外部からの伝送信号を外部信号側端子ねじ５３ａを介して受信する。受信した伝送信号のアドレスが電子機器１に割り当てられたアドレスと一致した場合、制御基板３０が動作する。
【００５７】
伝送信号を受信した際の制御基板３０の動作は、制御基板３０の種類によって異なる。制御基板３０は、伝送信号に応じて例えば、接続された負荷の電源ラインをリレーによりオンオフ制御する。また、制御基板３０は、接続された負荷の信号ラインをリレーによりオンオフ制御しても良い。また、制御基板３０は、接続された負荷の状態を通信線８８に出力しても良い。
【００５８】
主基板５７は、制御側回路と負荷側回路とを備える。制御側回路は、制御基板３０とグランドが共通である低電圧回路である。負荷側回路は、負荷と接続される高電圧回路である。また、主基板５７には図示しないリレーが設けられる。主基板５７の制御側回路は、リレーの１次側に接続される。主基板５７の負荷側回路は、リレーの２次側に接続される。主基板５７は、制御基板３０から送信されるリレー制御信号に基づき、リレーを断続して、リレーに接続された負荷をオンオフ制御する。主基板５７に配置されるリレーは機械式リレーである。主基板５７に接続される負荷がリレーの定格値を超えるおそれが小さい場合、機械式リレーに代えて半導体リレーを用いても良い。
【００５９】
次に、電子機器１の組み立て方法を説明する。まず、上ケース１０に上方から端子金具５４ａ、５４ｂを挿入する。その後、上ケース１０の上下を逆にする。次に、上ケース１０に開口から制御基板３０を収納する。このとき、スリット３３に端子金具５４ａの第２部分５４ａ−２を挿入する。また、一対の爪部１６により制御基板３０を上ケース１０に仮固定する。次に、基板ねじ５６によって制御基板３０を上ケース１０に固定する。また、第２部分５４ａ−２と制御基板３０とをはんだ付けする。
【００６０】
次に、配線５８を主基板５７にはんだ付けする。次に、上ケース１０の外側に主基板５７を配置した状態で、配線５８を端子金具５４ｂの第１部分５４ｂ−１にはんだ付けする。このとき、主基板５７の負荷側回路が、端子金具５４ｂの第１部分５４ｂ−１と電気的に接続される。
【００６１】
次に、主基板５７を図１１の矢印９０に示すように制御基板３０の下方に移動させる。このとき、主基板５７を突起部１９ａに載置する。次に、主基板５７の制御側回路と、制御基板３０とを配線５９により電気的に接続する。配線５９は、例えばフラットケーブル等で構成された基板間ハーネスである。
【００６２】
次に、上ケース１０の開口を下ケース２０で覆う。このとき、主基板５７を上ケース１０の突起部１９ａに載置した状態で、上ケース１０と下ケース２０を嵌合させる。さらに、上ケース１０と下ケース２０を嵌合ねじ６１で締結する。最後に、上ケース１０を上側にし、外部信号側端子ねじ５３ａおよび制御側端子ねじ５３ｂを端子金具５４ａ、５４ｂに締結する。
【００６３】
本実施の形態に係る組み立て方法では、制御基板３０が上ケース１０に固定された後に、制御基板３０の裏面側に突出して保持される端子金具５４ａの第２部分５４ａ−２を制御基板３０にはんだ付けする。これにより、はんだ付けの際に制御基板３０が傾き、接合部がずれることを抑制できる。制御基板３０が傾き、アドレス設定部３１が斜めに配置されると、操作ラベル５５が貼付された開口窓１３からアドレス設定の作業をすることが困難となる場合がある。本実施の形態では、制御基板３０の傾きを抑制でき、作業の効率の低下を防止できる。
【００６４】
また、主基板５７を上ケース１０の外側に配置した状態ではんだ付けを行うことができる。このため、はんだ付けを行う作業スペースを広く確保でき、組み立てを容易にできる。
【００６５】
また、突起部１９ａ、１９ｂと切欠き３０ａ、３０ｂにより、上ケース１０と制御基板３０は嵌合する。制御基板３０は、突起部１９ａ、１９ｂに保持されながら、上ケース１０の上面に向かって挿入される。このため、上ケース１０を水平に保つことができる。従って、制御基板３０が傾いた状態でケースに収納されることを防止できる。
【００６６】
また、本実施の形態では板金を折り曲げて端子金具５４ａ、５４ｂを容易に製作できる。このため、電子機器１を安価で製造できる。
【００６７】
本実施の形態の変形例として、端子金具５４ａ、５４ｂはＣ字型またはＵ字型ではなくても良い。端子金具５４ａ、５４ｂはケースの上面に設けられた主部５４ａ−３、５４ｂ−３と、ケースの内側に突出した第１部分５４ａ−１、５４ｂ−１と第２部分５４ａ−２、５４ｂ−２を有すれば良い。例えば、第１部分５４ａ−１、５４ｂ−１と第２部分５４ａ−２、５４ｂ−２は同じ長さであっても良い。この場合も、両端部が上ケース１０の内側に突出することで、端子金具５４ａ、５４ｂの傾きを抑制できる。
【００６８】
また、本実施の形態では、電子機器１はリレー制御端末器８３と複数のリモコンリレー８４の機能を有する。これに限らず、電子機器１は別の機能を有しても良い。また、電子機器１の構造は上述したものに限らず、電子機器１の機能、用途等に応じて変更されても良い。例えば、電子機器１は基板を１つのみ有しても良い。
【００６９】
これらの変形は以下の実施の形態に係る電子機器および照明制御システムについて適宜応用することができる。なお、以下の実施の形態に係る電子機器および照明制御システムについては実施の形態１との共通点が多いので、実施の形態１との相違点を中心に説明する。
【００７０】
実施の形態２．
図１２は、実施の形態２に係る電子機器２０１の上方斜視図である。図１３は、実施の形態２に係る電子機器２０１の分解斜視図である。図１４は、実施の形態２に係る電子機器２０１の平面図である。図１５は、図１４をＣ−Ｃ直線で切断することで得られる断面図である。電子機器２０１は、リレー制御端末器８３の機能を有する。リレー制御端末器８３は４台のリモコンリレー８４を制御できる。
【００７１】
電子機器２０１は、上ケース２１０および下ケース２２０を備える。上ケース２１０と下ケース２２０は、係合爪７２で互いに固定される。上ケース２１０の上面は、略長方形である。図１３に示すように、上ケース２１０は、上面に対向する側に開口が設けられる。上ケース２１０の略長方形の上面の一対の対角には、凹部７５ａが形成される。凹部７５ａの底面には、ねじボス部７５ｂが形成される。ねじボス部７５ｂは、電子機器２０１の取付ねじ用のねじ穴を有する。凹部７５ａにより、上ケース２１０の内側には第１突起部が形成される。また、上ケース２１０の一対の長手方向の側面には、切欠き部７４が形成されている。切欠き部７４は、上ケース２１０の開口と繋がっている。
【００７２】
上ケース２１０の上面の短手方向の一方の端部には、上方から端子金具７１ａ、７１ｂが挿入される。端子金具７１ａには、外部信号側端子ねじ７０ａが締結される。端子金具７１ｂには共通端子ねじ７０ｂが締結される。本実施の形態では、電子機器２０１は、端子金具７１ａおよび外部信号側端子ねじ７０ａを２個ずつ、端子金具７１ｂおよび共通端子ねじ７０ｂを１個ずつ備える。
【００７３】
端子金具７１ａ、７１ｂは、実施の形態１の端子金具５４ａ、５４ｂと同じ形状である。端子金具７１ａは主部７１ａ−３と第１部分７１ａ−１と第２部分７１ａ−２とを有する。端子金具７１ｂは主部７１ｂ−３と第１部分７１ｂ−１と第２部分７１ｂ−２とを有する。端子金具７１ａ、７１ｂは、端子金具５４ａ、５４ｂと同じ向きに上ケース２１０に挿入される。
【００７４】
また、端子金具７１ａ、７１ｂは、隣接する端子金具７１ａ、７１ｂと上ケース２１０の上面に形成されたリブにより離隔される。外部信号側端子ねじ７０ａおよび共通端子ねじ７０ｂは隣接する外部信号側端子ねじ７０ａおよび共通端子ねじ７０ｂとリブにより離隔される。
【００７５】
外部信号側端子ねじ７０ａおよび端子金具７１ａには、図１に示される通信線８８が接続される。通信線８８は、２本１組で構成されている。
【００７６】
上ケース２１０に挿入された端子金具７１ａ、７１ｂの第２部分７１ａ−２、７１ｂ−２は、制御基板２３０に形成されたスリット３３に挿入される。制御線７３は、上方から制御基板２３０に挿入され、制御基板２３０の裏面側で制御基板２３０とはんだ付けされる。
【００７７】
制御基板２３０は、低電圧回路と交流回路を備える。低電圧回路には、端子金具７１ａを介して外部信号が入力される。交流回路には、端子金具７１ｂ、共通端子ねじ７０ｂおよび制御線７３が接続される。また、制御基板２３０の上面側には、ディップスイッチであるアドレス設定部３１が配置される。
【００７８】
電子機器２０１は、４本の制御線７３を備える。制御線７３は、被覆された電線である。制御線７３は、上ケース２１０の上面の長手方向の一方の端部から、上ケース２１０の上面側に引き出される。工事業者は、制御線７３の端部に例えば圧着端子を取り付け、電子機器２０１とリモコンリレー８４の入力側の一端とを接続する。
【００７９】
配線５９の一端は、制御基板２３０の裏面とはんだ付けされ、電気的に接続される。配線５９の他端は、主基板２５７の上面とはんだ付けされ、電気的に接続される。
【００８０】
主基板２５７には、図示しない半導体リレーが設けられる。また、半導体リレーの出力側には例えば図示しないリモコンリレー８４を駆動するためのＡＣ２４Ｖの交流電源が接続される。主基板２５７は制御基板２３０から送信されるリレー制御信号に基づき、半導体リレーを断続させる。これにより、半導体リレーに接続されたＡＣ２４Ｖの交流電源をオンオフ制御する。
【００８１】
下ケース２２０は、底面と側面を備える。下ケース２２０は、底面と対向する側に開口が設けられる。下ケース２２０は、長手方向の一対の側面に、上方に延びる延伸部７６を有する。延伸部７６は、上ケース２１０に形成された切欠き部７４と嵌合する。下ケース２２０は、上ケース２１０と嵌合し、上ケース２１０の開口を塞ぐ。また、下ケース２２０は、延伸部７６の内側に第２突起部７７を有する。
【００８２】
制御基板２３０および主基板２５７は、上ケース２１０の形状に応じて略長方形に形成される。制御基板２３０には、一対の対角に第１突起部と嵌合する第１切欠き２３０ａが設けられる。また、制御基板２３０には、第２突起部７７と嵌合する第２切欠き２３０ｂが設けられる。同様に、主基板２５７には、一対の対角に第１突起部と嵌合する第１切欠き２５７ａが設けられる。また、主基板２３７には第２突起部７７と嵌合する第２切欠き２５７ｂが設けられる。第２切欠き２３０ｂ、２５７ｂは、制御基板２３０および主基板２５７が第２突起部７７で位置決めされるように設けられる。
【００８３】
制御基板２３０および主基板２５７は、上ケース２１０と下ケース２２０の両方と嵌合し、ケースの内側に保持される。この構成によれば、基板ねじを設けずに、制御基板２３０および主基板２５７を保持できる。このため、制御基板２３０および主基板２５７を容易に着脱できる。また、上ケース２１０と下ケース２２０を強固に嵌合させることができる。
【００８４】
また、上ケース２１０に切欠き部７４が形成されているため、上ケース２１０の側面により、はんだ付け作業が妨げられることを抑制できる。このため、制御基板２３０を上ケース２１０に収納した状態で、端子金具７１ａ、７１ｂを制御基板２３０に容易にはんだ付けできる。
【００８５】
図１を用いて、照明制御システム８０における本実施の形態の電子機器２０１の機能を説明する。リモコンリレー８４は、入力端子を２個、出力端子を２個備える。図１では、リモコンリレーの出力側の配線の一部が省略されている。リモコントランス８５は、図示しない入力側に外部電源が接続され、出力側からＡＣ２４Ｖを供給する。
【００８６】
リモコントランス８５の出力側の一端は、電子機器２０１の共通端子ねじ７０ｂに接続される。リモコンリレー８４の入力端子の一端には、制御線７３が接続される。リモコンリレー８４の入力端子の他端には、リモコントランス８５の出力側の他端が接続される。この接続により、電子機器２０１は、４台のリモコンリレー８４の入力端子に対して、ＡＣ２４Ｖの供給を断続することができる。
【００８７】
リモコンリレー８４の出力側の一端には外部電源が接続され、他端には照明器具８９等の負荷が接続される。リモコンリレー８４は、入力端子の他端にＡＣ２４Ｖが供給されると出力側の一端と他端の接点を接続する。また、リモコンリレー８４は入力端子の他端にＡＣ２４Ｖが供給されない時は、出力側の一端と他端の接点を切り離す。これにより、照明制御システム８０は、照明器具８９等の負荷をオンオフ制御できる。
【００８８】
なお、各実施の形態で説明した技術的特徴は適宜に組み合わせて用いてもよい。
【符号の説明】
【００８９】
１、２０１  電子機器、１０、２１０  上ケース、１１  上面部、１２  操作面、１３  開口窓、１４  押切窓、１５  端子穴、１６  爪部、１９ａ、１９ｂ  突起部、２０、２２０  下ケース、３０、２３０  制御基板３０、３０ｂ  切欠き、３１  アドレス設定部、３２  固定孔、３３  スリット、５１  保護カバーねじ、５２  保護カバー、５３ａ、７０ａ  外部信号側端子ねじ、５３ｂ  制御側端子ねじ、５４ａ、５４ｂ、７１ａ、７１ｂ  端子金具、５４ａ−１、５４ｂ−１、７１ａ−１、７１ｂ−１  第１部分、５４ａ−２、５４ｂ−２、７１ａ−２、７１ｂ−２  第２部分、５４ａ−３、５４ｂ−３、７１ａ−３、７１ｂ−３  主部、５５  操作ラベル、５６  基板ねじ、５７、２５７  主基板、５８、５９  配線、６１  嵌合ねじ、６５  端子カバー、７０ｂ  共通端子ねじ、７２  係合爪、７３  制御線、７４  切欠き部、７５ａ  凹部、７５ｂ  ねじボス部、７６  延伸部、７７  第２突起部、８０  照明制御システム、８１  管理装置、８２  コントローラ、８３  リレー制御端末器、８４  リモコンリレー、８５  リモコントランス、８７  通信網、８８  通信線、８９  照明器具
【図１】
2019169538.tif 000003
【図２】
2019169538.tif 000004
【図３】
2019169538.tif 000005
【図４】
2019169538.tif 000006
【図５】
2019169538.tif 000007
【図６】
2019169538.tif 000008
【図７】
2019169538.tif 000009
【図８】
2019169538.tif 000010
【図９】
2019169538.tif 000011
【図１０】
2019169538.tif 000012
【図１１】
2019169538.tif 000013
【図１２】
2019169538.tif 000014
【図１３】
2019169538.tif 000015
【図１４】
2019169538.tif 000016
【図１５】
2019169538.tif 000017